(57)【要約】      （修正有）【課題】電子機器に対する操作性、視認性、および音響性を損なうことなく、水や埃などから電子機器を防護することができる電子機器用防護容器の提供をする。【解決手段】容器本体１に電子機器Ｅを収容口１１から収容したあと密閉状態にする。容器本体１には第１弁部材および第２弁部材２２からなる弁体が設けられており、該弁体２に吸引具３を差し込んで容器本体１内の空気を吸引する。容器本体１内が真空に近い状態になれば吸引具３を抜き取るとともに、第１弁部材および第２弁部材を磁力作用により閉じると、容器本体１が電子機器に密着した状態となり、操作性、視認性、および音響性が向上することになる。【選択図】図１
0003143475.tif 000002
【実用新案登録請求の範囲】
【請求項１】
水や埃などから電子機器を防護する電子機器用防護容器であって、
透明又は半透明の可撓性材料からなり、電子機器を収容するための密閉可能な収容口が開口されるとともに、内部の空気を吸引するための吸引孔が穿設された容器本体と、
前記容器本体の吸引孔に対応する貫通孔が穿設され、かつ貫通孔と吸引孔が一致する態様で容器本体の外面に固着される第１の弁部材と、
該第１弁部材に磁力により接離可能な態様で設けられ、該接離動作によって前記貫通孔および吸引孔を開閉する第２の弁部材と、
前記第１の弁部材の貫通孔と前記容器本体の吸引孔とから容器本体の内部に差し込まれ、容器本体の内部の空気を吸引するための吸引具とを備えることを特徴とする電子機器用防護容器。
【請求項２】
前記容器本体の吸引孔に対応する第２貫通孔が穿設され、かつ第２貫通孔と吸引孔が一致する態様で容器本体の内面に固着される第３の弁部材と、
該第３弁部材に磁力により接離可能な態様で設けられ、該接離動作によって前記第２貫通孔および吸引孔を開閉する第４の弁部材とを備える請求項１に記載の電子機器用防護容器。
【請求項３】
前記弁部材は薄板状のゴム磁石からなる請求項１または請求項２に記載の電子機器用防護容器。
【請求項４】
前記容器本体の外側において吸引具を収容するための袋部が設けられている請求項１ないし請求項３のいずれかに記載の電子機器用防護容器。
【請求項５】
前記容器本体の外側においてストラップ部材が設けられている請求項１ないし請求項４のいずれかに記載の電子機器用防護容器。
【考案の詳細な説明】
【技術分野】
【０００１】
本考案は、携帯電話やＰＨＳ、携帯情報端末（ＰＤＡ）、電子手帳、電子辞書、電卓、小型ゲーム機、デジタルカメラ等の電子機器を水や埃などから防護する電子機器用防護容器に関するものである。
【背景技術】
【０００２】
近年、携帯電話やＰＨＳ、携帯情報端末（ＰＤＡ）、電子手帳、電子辞書、電卓、小型ゲーム機、デジタルカメラ等、多くの電子機器が小型軽量化され、移動使用を前提とした製品が増えてきている。そして、電子機器の使用場所も屋内のデスク上に止まらず、電車・飛行機内、駅構内、公園、飲食店、プールサイド、海辺、浴場、工事現場など様々な場所にまで広がっている。このため、電子機器が水や埃などにさらされる場合が多くなり、水や埃などから電子機器を防護することが求められている。
【０００３】
例えば、防水、撥水性シートで被保護機器を収納する袋体を形成し、この袋体の入口部に開閉自在の水密封止具を設け、さらに、袋体に防水性クリアシートで形成された 窓を備えさせ、その窓から被保護機器の表示部、操作部が外部に透けて見えるようにし、以上の如く構成した防護カバーで携帯電話、電子システム手帳、ノート型パソコン、液晶テレビなどの電気、電子機器、精密機器を覆うようにしたものが知られている（特許文献１参照）。
【０００４】
【特許文献１】特開２００１−３７５１８号公報
【考案の開示】
【考案が解決しようとする課題】
【０００５】
しかしながら、従来の防護容器（あるいは防護カバー）に採用されている構造では、内部に空気が入り込んでしまうため、電子機器と防護容器の表面との間に不要な隙間やだぶつきが生じて、電子機器に対する操作性や視認性に問題が生じたり、電子機器から発せられる音声が不明瞭となってしまうという問題も生じていた。
【０００６】
本考案は、上述の問題に鑑みてなされたものであって、電子機器に対する操作性、視認性、および音響性を損なうことなく、水や埃などから電子機器を防護することができる電子機器用防護容器の提供を課題とする。
【課題を解決するための手段】
【０００７】
本考案は、上記課題を解決するために、水や埃などから電子機器を防護する電子機器用防護容器であって、透明又は半透明の可撓性材料からなり、電子機器を収容するための密閉可能な収容口が開口されるとともに、内部の空気を吸引するための吸引孔が穿設された容器本体と、前記容器本体の吸引孔に対応する貫通孔が穿設され、かつ貫通孔と吸引孔が一致する態様で容器本体の外面に固着される第１の弁部材と、該第１弁部材に磁力により接離可能な態様で設けられ、該接離動作によって前記貫通孔および吸引孔を開閉する第２の弁部材と、前記第１の弁部材の貫通孔と前記容器本体の吸引孔とから容器本体の内部に差し込まれ、容器本体の内部の空気を吸引するための吸引具とを備えることを特徴とする。
【０００８】
これによれば、容器本体の内部に電子機器を収容して密閉し、吸引具を貫通孔および吸引孔に差し込みながら吸引したあと、第１の弁部材と第２の弁部材を磁力により接着すれば、容器本体内部が真空又は真空に近いものとなり、容器本体が電子機器の表面に密着した状態となる。このため、容器本体と電子機器との間に不要な空間やだぶつきが生じなくなり、電子機器に対する操作性、視認性、および音響性を損なうことなく、水や埃などから電子機器を防護することができる。
【０００９】
また、前記容器本体の吸引孔に対応する第２貫通孔が穿設され、かつ第２貫通孔と吸引孔が一致する態様で容器本体の内面に固着される第３の弁部材と、該第３弁部材に磁力により接離可能な態様で設けられ、該接離動作によって前記第２貫通孔および吸引孔を開閉する第４の弁部材とを備えるのが好ましい。これによれば、第１の弁部材および第２の弁部材と同様の構造のものが容器本体の内側にも設けられるため、容器本体内部の密閉状態をより確実なものにすることができる。
【００１０】
また、前記弁部材は薄板状のゴム磁石からなるのが好ましい。これによれば、弁部材を薄く形成することができるとともに、ゴム磁石の弾性により第２または第４の部材が捲り上げ易くなり、第１の弁部材と第２の弁部材や第３の弁部材と第４の弁部材の接離動作がより一層スムーズになる。
【００１１】
また、前記容器本体の外側において吸引具を収容するための袋部が設けられているのが好ましい。これによれば、容器本体の袋部に吸引器具を収容することができ、いつでも場所を選ばずに本防護容器を利用することができる。
【００１２】
また、前記容器本体の外側においてストラップ部材が設けられているのが好ましい。これによれば、電子機器が収容された本防護容器を手に持ったり、首に掛けたりすることができ、持ち運びに便利である。
【考案の効果】
【００１３】
本考案に係る電子機器用防護容器をもってすれば、例えば電車・飛行機内、駅構内、公園、飲食店、プールサイド、海辺、浴場、工事現場などの様々な場所において、防水、防塵機能を発揮し、携帯電話やＰＨＳ、携帯情報端末（ＰＤＡ）、電子手帳、電子辞書、電卓、小型ゲーム機、デジタルカメラ等の電子機器を使用することができる。
【００１４】
しかも、容器本体の内部を吸引することにより、容器本体が電子機器の表面に密着した状態となる。このため、容器本体と電子機器との間に不要な空間やだぶつきが生じなくなり、電子機器を直接タッチするように操作したり、電子機器の画面を鮮明に視認したり、さらに電子機器の音声を明瞭に聞いたりすることが可能となる。
【考案を実施するための最良の形態】
【００１５】
＜実施形態１＞
次に本考案の一実施形態について図１〜図４を参照しつつ説明する。
【００１６】
図１は本実施形態に係る電子機器用防護容器（以下本容器という）の平面図、図２は本容器の縦断面図である。
【００１７】
本容器は、透明の可撓性材料からなる袋状の容器本体（１）と、該容器本体（１）の左下部に設けられる弁体（２）と、容器本体（１）の内部に差し込まれる吸引具（３）とを備えてなる。
【００１８】
この容器本体（１）は、長さが約２１０ｍｍ、幅が約２８０ｍｍの平面視矩形状に形成されており、内部に携帯電話やＰＨＳ、携帯情報端末（ＰＤＡ）、電子手帳、電子辞書、電卓、小型ゲーム機、デジタルカメラ等の小型の電子機器（Ｅ）を収容し得るものとなされている。
【００１９】
容器本体（１）の可撓性材料は、特に限定されるものではないが、透明度が高く、またコストも安価で汎用的な合成樹脂フィルムなどが挙げられる。容器本体（１）を可撓性材料とすることにより、後述するように容器本体（１）の内部の空気を吸引した場合に変形して、容器本体（１）の内部に収容した電子機器（Ｅ）に密着した状態となる。
【００２０】
なお、本実施形態では容器本体（１）を透明としたが、電子機器（Ｅ）の操作ボタンや画面表示が十分視認できるものであれば、半透明のものであってもよい。
【００２１】
容器本体（１）の上端部には、電子機器（Ｅ）を収容するための収容口（１１）が開口されている。この収容口（１１）は、容器本体（１）の上端部の幅方向全体に亘って配置されており、内面には２本のジッパーテープ（１２）（１２）が上下方向に平行に設けられている。
【００２２】
このジッパーテープ（１２）は、雌型ジッパーテープ（１２ａ）と雄型ジッパーテープ（１２ｂ）とからなり、雌型ジッパーテープ（１２ａ）が容器本体（１）の表側に幅方向に沿って貼着され、雄型ジッパーテープ（１２ｂ）が容器本体（１）の裏側に幅方向に沿って貼着されている。
【００２３】
このため、雌型ジッパーテープ（１２ａ）と雄型ジッパーテープ（１２ｂ）とを順次剥離していくと、収容口（１１）が開口された状態になり、該収容口（１１）から容器本体（１）の内部に電子機器（Ｅ）を収容することができる。また、雌型ジッパーテープ（１２ａ）と雄型ジッパーテープ（１２ｂ）とを順次嵌合していくと、収容口（１１）が閉口された状態となり、容器本体（１）の内部を密閉状態にすることができる。特に２本のジッパーテープ（１２）（１２）を上下方向に平行に設けることにより、１本の場合に比べて容器本体（１）内部の密閉状態がより確実なものとなる。
【００２４】
容器本体（１）の左下部には、容器本体（１）の内部と外部を連通する直径８ｍｍ程の吸引孔（１ａ）が穿設されており、該吸引孔（１ａ）を開閉するための弁体（２）が設けられている。
【００２５】
この弁体（２）は、図３に示すように、容器本体（１）の外面に設けられた第１弁部材（２１）と、該第１弁部材（２１）の上面に設けられた第２弁部材（２２）とからなる。
【００２６】
第１弁部材（２１）は、長さ４５ｍｍ、幅２０ｍｍ、厚さ２ｍｍ程の板状のゴム磁石からなり、右側部分には容器本体（１）の吸引孔（１ａ）に対応する直径８ｍｍ程の貫通孔（２１ａ）が穿設されている。そして、第１弁部材（２１）の貫通孔（２１ａ）と容器本体（１）の吸引孔（１ａ）が一致する態様で、第１弁部材（２１）が容器本体（１）の表面に接着剤等（２５）により固着されている。
【００２７】
第２弁部材（２２）は、第１弁部材（２１）と同大かつ同形に形成された板状のゴム磁石からなる。そして、第１弁部材（２１）と完全に重なりあう態様で、第１弁部材（２１）の表面の左側部分において接着等（２５）により固着されている。
【００２８】
第１弁部材（２１）と第２弁部材（２２）とは、通常時では互いにゴム磁石の磁力作用により接着し、吸引孔（１ａ）と貫通孔（２１ａ）が閉じられた状態となっている。一方、吸引時では、第２弁部材（２２）がゴム磁石の磁力に抗して捲り挙げられることにより右側部分が互いに離間し、吸引孔（１ａ）と貫通孔（２１ａ）が開かれた状態となる。吸引方法などの詳細について後述する。
【００２９】
容器本体（１）の下端部には、後述の吸引具（３）を収容するための袋部（１３）が設けられている。この袋部（１３）は、直径１０ｍｍ程で左端部が開口されるとともに、容器本体（１）の下端部の幅方向全体に沿って配置されている。これにより容器本体（１）の袋部（１３）に吸引器具（３）を収容することができ、いつでも場所を選ばずに本容器を利用することができる。
【００３０】
この吸引具（３）は、直径７ｍｍ、長さ１００ｍｍ程の合成樹脂からなる筒状に形成されている。吸引具（３）の一端部が口に付けて吸引するための吸引基端口（３１）となされ、他端部が容器本体（１）の内部に差し込まれて空気を吸引する吸引先端口（３２）となされている。なお、この吸引具（３）の材質や大きさは特に限定されるものではない。
【００３１】
容器本体（１）の左上部および右上部には、ストラップ部材（４）を取り付けるためのリング部材（１４）が設けられている。このストラップ部材（４）は、直径２〜３ｍｍ程、長さ４００ｍｍ程の紐状に形成され、両端部が容器本体（１）の左右のリング部材（１４）（１４）にそれぞれ取り付けられている。これにより容器本体（１）の上部においてストラップ部材（４）が環状に設けられるため、使用者はストラップ部材（４）を首にかけたり、あるいは手にもったりするなどして、本容器を簡単に持ち運ぶことができる。
【００３２】
次に本考案の使用方法について説明する。
【００３３】
容器本体（１）の上端部の収容口（１１）を開口し、電子機器（Ｅ）を容器本体（１）の内部に収容したあと、収容口（１１）に設けられた２本のジッパーテープ（１２）（１２）を確実に嵌合して、容器本体（１）の内部を密閉状態する。
【００３４】
そして、弁体（２）の第２弁部材（２２）の右側部分をゴム磁石の磁力に抗して緩やかに捲り上げて、第１弁部材（２１）の貫通孔（２１ａ）と容器本体（１）の吸引孔（１ａ）を開いて、容器本体（１）の内部と外部とを連通した状態とする。
【００３５】
そして、その状態のまま貫通孔（２１ａ）と吸引孔（１ａ）に吸引具（３）の先端吸引口（３２）を差し込んだあと、吸引具（３）の基端吸引口（３１）に口を付けて容器本体（１）の内部の空気を吸い込んでいくと、容器本体（１）の内部が徐々に空気が失われるため、真空状態になったときに吸引を停止する。
【００３６】
最後に、吸引具（３）を貫通孔（２１ａ）および吸引孔（１ａ）から抜き取ったあと、第２弁部材（２２）の右側部分を戻して再び第１弁部材（２１）とゴム磁石の磁力により接着して、貫通孔（２１ａ）および吸引孔（１ａ）を完全に閉じた状態とする。このとき、容器本体（１）の内部に空気は入り込むことをできるだけ防止するために、吸引具（３）の抜き取り動作と第２弁部材（２２）と第１弁部材（２１）の接着動作をほぼ同時に行うことが好ましい。
【００３７】
このように、容器本体（１）の内部に電子機器（Ｅ）を収容して密閉し、吸引具（３）を貫通孔（２１ａ）および吸引孔（１ａ）に差し込みながら吸引したあと、第１弁部材（２１）と第２弁部材（２２）を磁力により接着すれば、容器本体（１）の内部が真空又は真空に近いものとなり、容器本体（１）が電子機器（Ｅ）の表面に密着した状態となる。このため、容器本体（１）と電子機器（Ｅ）との間に不要な空間やだぶつきが生じなくなり、電子機器（Ｅ）に対する操作性、視認性、および音響性を損なうことなく、水や埃などから電子機器を防護することができる。
【００３８】
＜実施形態２＞
次に本考案の他の実施形態について図５を参照しつつ説明する。
【００３９】
図５は、容器本体（１）の内面に実施形態１の第１弁体（２）と同様の構造の第２弁体（２’）を設けた状態を示す断面図である。
【００４０】
この第２弁体（２’）は、図５に示すように、容器本体（１）の外面に設けられた第３弁部材（２３）と、該第３弁部材（２３）の上面に設けられた第４弁部材（２４）とからなる。
【００４１】
第３弁部材（２３）は、長さ４５ｍｍ、幅２０ｍｍ、厚さ２ｍｍ程の板状のゴム磁石からなり、右側部分には容器本体（１）の吸引孔（１ａ）に対応する直径８ｍｍ程の貫通孔（２３ａ）が穿設されている。そして、第３弁部材（２３）の貫通孔（２３ａ）と容器本体（１）の吸引孔（１ａ）が一致する態様で、第３弁部材（２３）が容器本体（１）の表面に接着剤等（２６）により固着されている。
【００４２】
第４弁部材（２４）は、第３弁部材（２３）と同大かつ同形に形成された板状のゴム磁石からなる。そして、第３弁部材（２３）と完全に重なりあう態様で、第３弁部材（２３）の表面の左側部分において接着等（２６）により固着されている。
【００４３】
第３弁部材（２３）と第４弁部材（２４）とは、通常時では互いにゴム磁石の磁力作用により接着し、吸引孔（１ａ）と貫通孔（２３ａ）が閉じられた状態となっている。一方、吸引時では、吸引具（３）によって第４弁部材（２４）がゴム磁石の磁力に抗して押し上げられることにより右側部分が互いに離間し、吸引孔（１ａ）と貫通孔（２３ａ）が開かれた状態となる。
【００４４】
このように、弁体（２）と同様の構造の第２弁体（２’）が容器本体（１）の内側にもできるため、容器本体（１）の内部の密閉状態をより確実なものにすることができる。
【００４５】
なお、以上いずれの実施形態についても、容器本体（１）の形状、大きさ、および材料は上述のものに限定されるものではなく、透明又は半透明の可撓性材料であれば、種々に設計変更可能である。
【００４６】
また、容器本体（１）の収容口（１１）の大きさ、位置、密閉構造は上述のものに限定されるものではなく、電子機器（Ｅ）を収容したあとに容器本体（１）の内部を密閉し得るものであれば、種々に設計変更可能である。
【００４７】
また、第１、２，３，４の各弁部材（２１）（２２）（２３）（２４）はゴム磁石からなるものとしたが、磁力によって接離し得るものであれば、その他の部材からなるものでもよい。
【００４８】
また、第１弁部材（２１）と第２弁部材（２２）あるいは第３弁部材（２３）と第４弁部材（２４）はそれぞれ接着剤（２５）により接着するものとしたが、その他の溶剤や固定部材で接着してもよい。
【００４９】
また、第１，２，３，４部材の大きさや配置箇所についても、上述のものに限定されるものではなく、適宜、設計変更可能である。
【００５０】
また、吸引具（３）は、人の口により空気を吸引するものとしたが、何らかの吸引装置により空気を吸引するものとしてもよい。
【００５１】
また、容器本体（１）の内部に乾燥剤などを装入し、容器本体（１）の内部の湿度を下げて電子機器（Ｅ）によりよい環境にしてもよい。
【産業上の利用可能性】
【００５２】
本考案は、携帯電話やＰＨＳ、携帯情報端末（ＰＤＡ）、電子手帳、電子辞書、電卓、小型ゲーム機、デジタルカメラ等の電子機器（Ｅ）の防水や防塵の用途に使用される。
【図面の簡単な説明】
【００５３】
【図１】本容器の平面図である。
【図２】本容器の縦断面図である。
【図３】弁体の断面図である。
【図４】本容器に電子機器を収容して真空状態にしたときの斜視図である。
【図５】第２弁体の断面図である。
【符号の説明】
【００５４】
１・・・容器本体
１１・・・収容口
１２・・・ジッパーテープ
１３・・・袋部
１４・・・リング部材
１ａ・・・吸引孔
２・・・弁体
２１・・・第１弁部材
２２・・・第２弁部材
２１ａ・・・貫通孔
３・・・吸引具
４・・・ストラップ部材
【図１】
0003143475.tif 000003
【図２】
0003143475.tif 000004
【図３】
0003143475.tif 000005
【図４】
0003143475.tif 000006
【図５】
0003143475.tif 000007